(57)【特許請求の範囲】
【請求項１】
制御装置からの操作信号を中継し、電気錠に操作信号を伝達する電気錠の中継装置であって、
制御装置からの駆動信号に基づいて電気錠の駆動信号を生成する駆動信号生成部と、
制御装置に設けられる錠側状態問い合わせ信号の出力部に接続される信号線の導通を電気錠から出力される錠側状態信号に基づいて断接するリレースイッチを備えた錠側状態信号生成部とを有し、
前記問い合わせ信号の信号線の導通状態により電気錠側の状態を検出可能な電気錠の中継装置。
【発明の詳細な説明】
【０００１】
【発明の属する技術分野】
本発明は、電気錠の中継装置に関するものである。
【０００２】
【従来の技術】
一般に、電気錠を使用したロックシステムは、ドア扉内に収容される電気錠と、例えば居間等に設置され、該電気錠本体に操作信号を送信する制御装置とから構成される。
【０００３】
【発明が解決しようとする課題】
しかし、上述した従来例において、制御装置と電気錠との間で送受信される制御信号はメーカーによりまちまちで、制御装置、または電気錠の一方を交換したり、あるいは電気錠を他の制御手段により遠隔操作しようとする場合には、信号形式の一致したものを選択せざるを得ず、拡張性、融通性に劣るという問題がある。
【０００４】
本発明は、以上の欠点を解消すべくなされたものであって、制御装置、あるいは拡張制御装置の種類に関わらず、電気錠に接続、使用可能な電気錠の中継装置の提供を目的とする。
【０００５】
【課題を解決するための手段】
制御装置１により電気錠２を制御する場合、制御装置１において電気錠２が施解錠いずれの状態にあるか、あるいは扉が開閉いずれの状態にあるか等（以下「錠状態」という。）を知る必要があり、制御装置１における錠状態の検出は、制御装置１側から電気錠２側に問い合わせ信号を出力し、その戻り値により識別することが行われる。
【０００６】
しかし、制御装置１と電気錠２との制御信号は規格化されたものではなく、とりわけ、配線の作業性を考慮して、制御装置１との間を２本の配線で接続する技術が採用されるに至って、その種類も多様を極めている。すなわち、制御装置１から電気錠２に対して電気錠２への給電と、電気錠２側からの錠状態信号のやりとりを２本の配線に乗せて伝送する際、電気錠２内のアクチュエータは、一般に所定電圧の直流電源により駆動されることから、制御装置１からの駆動信号は直流信号として与えられるために、制御装置１の違いによる差違は少ないが、問い合わせ信号の出力信号形態には大きな差違がみられ、この差違が上述した問題を発生させている。
【０００７】
一方、どのような信号形態により錠状態を識別するにしても、識別対象は、電気錠２、あるいは扉の状態移行によりＯＮ、ＯＦＦされるスイッチであるために、当該スイッチを中継装置内に組み込み、制御装置１が発信した問い合わせ信号を該スイッチを経由してそのまま制御装置１に返すと、制御装置１は問い合わせ信号に基づいて錠状態を判別することが可能になる。
【０００８】
本発明は、以上の認識の下になされたものであって、駆動信号生成部３は、中継装置から出力される駆動信号（電力）を電気錠２の駆動信号に変換して電気錠２に通知し、該電気錠２を駆動する。駆動信号生成部３には、電気錠２への電源回路を組み込むこともできる。
【０００９】
制御装置１から出力される問い合わせ信号は、電気錠２から出力される錠側状態信号に基づいて切り替えられるリレースイッチ４を介してそのまま制御装置１に返信され、制御装置１はリレースイッチ４の状態により錠状態を識別する。トランジスタ等の電子スイッチを使用することなく、機械式のリレースイッチ４を使用することにより、問い合わせ信号の性質と状態に変化が生じないために、制御装置１がどのような識別方法をとっている場合でも、制御装置１における識別を保証することができるために、構造が簡単で、かつ、信頼性の高いロックシステムを構築することができる。
【００１０】
【発明の実施の形態】
図１に示すように、ロックシステムは、制御装置１と、ドア扉内に収容される電気錠２とを備える。制御装置１は、電気錠２への電源供給部６ａと、施錠、あるいは解錠操作ボタン６ｂを備えており、これら施解錠ボタン６ｂを操作すると、電気錠２の駆動信号（ｓ１０）を生成し、制御装置１の駆動信号出力端子１ａに駆動信号（ｓ１０）を送出する。図示の制御装置１は、電気錠２と、居間等に設置されるコントローラ６との間を２本の通電線により接続して配線作業を容易にしたもので、制御装置１は、コントローラ６に加えて、該コントローラ６から通電線を経由して出力される信号を信号ラインと給電ラインに分岐するための２線変換アダプタ７を備える。
【００１１】
また、制御装置１は、電気錠２の状態を検知するための問い合わせ信号入出力端子１ｂを備えており、該問い合わせ信号入出力端子１ｂを介して電気錠２側に問い合わせ信号（ｓ１１）を送出し、電気錠２側の検知スイッチ２ａ、２ｂの開閉を検出する。この実施の形態において、制御装置１は電気錠２の施解錠状態と、ドア扉の開閉状態とを検出することが可能であり、これら検出結果に基づいて開扉ＬＥＤ６ｃ、および解錠ＬＥＤ６ｄを点灯、あるいは消灯させる。
【００１２】
電気錠２側の状態を検知する方法としては種々のものが提案されており、例えば、ある種のものは、電気錠２側の検知スイッチ２ａ、２ｂにより開閉される共振回路を二次側に備えた錠側平衡トランスの一時側と検出用平衡トランスの二次側とで閉ループを構成し、検出側平衡トランスを共振回路に対する共振周波数で駆動した際の一次側の電流値として検出する。すなわち、検出スイッチが閉成されているときには、共振回路は周波数信号に共振する結果、制御装置１側の平衡トランスの出力インピーダンスは低くなるのに対し、検知スイッチ２ａ、２ｂが開成している際の出力インピーダンスは高くなり、この結果、検出側平衡トランスの一次側での電流値が異なり、電流値の変化により検出スイッチの状態を検出できる。
【００１３】
また、ある種のものは、所定のタイミングで電気錠２側に検知電流を送信し、検知スイッチ２ａ、２ｂの断、接状態を判定する。
【００１４】
一方、電気錠２は、図外のデッドロックを駆動するためのアクチュエータ８を備え、給電端子２ｃに加えて施解錠信号入力端子２ｄ、２ｅと施解錠状態信号出力端子を備える。給電端子２ｃに電力（この実施の形態においては直流電力）が供給された状態で解錠信号入力端子２ｅに解錠駆動信号（ｓ１０）が入力されると、電気錠２の制御部９はアクチュエータ８であるモータがデッドロックを没入させる方向に回転するように極性を設定してモータ８に給電してデッドボルトを没入方向に駆動する。また、施錠信号入力端子２ｄに施錠駆動信号（ｓ１０）が入力されると、制御部９は極性を反転させ、デッドボルトを飛び出し方向に駆動する。
【００１５】
なお、図示の例では、施解錠信号入力端子２ｄ、２ｅはおのおの別個に配置される場合が示されているが、共通し、制御部９で識別するように構成することもできる。また、アクチュエータ８としては、電磁ソレノイド等を使用することができる。
【００１６】
さらに、電気錠２は、現在のデッドボルトの状態、すなわち、電気錠２が現在施解錠いずれの状態にあるかを示す錠状態検知スイッチ２ａと、ドア扉の開放状態を示す扉状態検知スイッチ２ｂとを備える。２個のデッドボルトを各々別個のモータ８、８により駆動するこの実施の形態において、錠状態検知スイッチ２ａは各モータ８ごとに配置される。
【００１７】
これらの検知スイッチ２ａ、２ｂが示す錠側状態信号は、電気錠２の制御部９、あるいは後述する中継装置からの検出信号への応答信号として取得することができる。また、電気錠２全体での施解錠状態を制御部９に通知するように構成されたこの実施の形態において、電気錠２側の制御部９は、各モータ８に対応して設けられる２個の錠状態検知スイッチ２ａ、２ａからの応答信号を論理演算し、いずれかの錠状態検知スイッチ２ａ、２ａが施錠状態にある場合には、施錠状態信号を返信する。
【００１８】
これら制御装置１と電気錠２との間に介装される中継装置Ａは、商用交流電源により運転され、電気錠２に給電する電源回路１０と、制御部１１を備える。制御部１１は、マイクロコンピュータ１１ａにより構成され、リセット回路１１ｂと、クロック供給回路１１ｃを備える。また、電源回路１０は、商用交流電源をＡＤ変換、降圧して給電端子１２に出力し、該給電端子１２を経由して電気錠２に給電する。なお、この実施の形態において電気錠２はバッテリ等の内部電源２ｆを有しており、図外の電源切り替え部を操作することにより内部電源２ｆでの運用も可能とされている。
【００１９】
また、中継装置Ａは、制御装置１側の駆動信号出力端子１ａに接続される駆動信号入力部１３を備える。制御装置１の駆動信号出力端子１ａへは通常、施解錠信号の種別により極性が反転されたアクチュエータ８の駆動電力が出力されるために、駆動信号入力部１３は、これをＴＴＬレベルの信号に変換して制御部１１に供給する。この駆動信号入力部１３に入力があると、制御部１１は施錠要求信号、あるいは解錠要求信号を生成して駆動信号生成部３の施錠要求信号出力部１４、または解錠要求信号出力部１５のいずれかに通知し、電気錠２のモータ８を駆動する。
【００２０】
さらに、中継装置Ａは、施解錠状態信号入力部１６と、扉状態信号入力部１７を備える。これら状態信号入力部１６、１７は、上述したように、電気錠２の状態検知スイッチ２ａ、２ｂのＯＮ、ＯＦＦの検知結果を受領し、制御部１１に出力する。これら検知信号を受領した制御部１１は、図２に示すように、錠側状態信号生成部５に接続される状態切り替え出力ポートｐ１、ｐ２に状態信号を出力する。
【００２１】
錠側状態信号生成部５は、図２に示すように、機械式のリレースイッチ４と、制御部１１の状態切り替え出力ポートｐ１、ｐ２に各々ベースが接続される一対の制御用トランジスタ５ａ、５ａにより構成される。制御部１１の状態切り替え出力ポートｐ１、ｐ２には、検知された状態により、例えば錠状態検知スイッチ２ａがＯＮの場合には、施錠状態切り替え出力ポートｐ１が”Ｈ”で、解錠状態切り替え出力ポートｐ１’が”Ｌ”となるように、一方に”Ｈ”が、他方に”Ｌ”が排他的に出力され、いずれかの制御用トランジスタ５ａにコレクタ電流が選択的に流れ、いずれかのリレースイッチを対応する位置にセットする。
【００２２】
この状態は、制御装置１からみると、該制御装置１の問い合わせ信号出力端子１ｂに直接電気錠２の状態検知スイッチ２ａ、２ｂが接続されたのと等価であり、制御装置１がどのような種類、方式の検出方法をとっていても、制御装置１は該制御部１１が出力する問い合わせ信号ｓ１１に基づいて錠側状態を検知することができる。
【００２３】
さらに、中継装置Ａは、モード設定部１８と扉状態表示部１９、および錠状態表示部２０とを備える。扉状態表示部１９、および錠状態表示部２０は、主として取り付け作業の便宜を図るために設けられており、ＬＥＤ等により状態を表示することにより、施工時に状態検知スイッチ２ａ、２ｂが正確に検知されているかをコントローラ６設置場所まで行かなくても確認できる。また、モード設定部１８は、例えば、制御部１１から出力される駆動信号（ｓ１０）と電気錠２の動作が一致しない場合、すなわち、制御部１１から解錠駆動信号（ｓ１０）が出力されているにもかかわらず、電気錠２が施錠動作をする場合に、駆動信号（ｓ１０）に電気錠２の動作を一致させるために設けられ、極性反転回路により構成される。
【００２４】
以上のように構成される中継装置は、図外のＲＯＭ内に格納されたプログラムにより以下のように作動する。図３に示すように、まず、電源投入状態において初期設定がなされた後、錠状態監視ルーチンＲ１が実行される。錠状態監視ルーチンＲ１は、施解錠状態の変化を監視することにより行われ、施解錠状態検出ステップＳ１と扉開閉状態検出ステップＳ２を順次実行することにより行われる。施解錠状態検出ステップＳ１において、施解錠状態の変化、すなわち、錠状態検知スイッチ２ａが切り替わり、施解錠状態信号入力部１６への入力が変化すると、制御部１１は施錠状態か否かの判断ステップを実行する。このステップは、制御部１１が施解錠状態信号入力部１６の入力値が変化した際に改めて施解錠状態信号入力部１６を経由して確認信号を電気錠２に出力して施解錠状態を確認する方法であっても、あるいは、図外のメモリ手段に格納される錠状態に対応したビットを反転させて得ることもできる。
【００２５】
上記ステップにより施錠状態であることが検出されると、上述したように、施解錠状態信号生成部５に状態信号が出力されるとともに、錠状態表示部２０に「施錠」データをセットして、例えば錠状態表示部２０のＬＥＤを点灯させる。また、解錠状態である場合には、解錠状態信号が出力されるとともに、錠状態表示部２０に「解錠」データをセットして、錠状態表示部２０のＬＥＤを消灯させる。
【００２６】
扉開閉状態検出ステップＳ２は、上記施解錠状態検出ステップＳ１と同様のステップで実行され、ドア扉の開閉検知スイッチ２ｂの状態によって「閉扉状態」あるいは「開扉状態」のいずれかの信号を扉開閉状態信号生成部５に出力し、扉状態表示部１９に「開扉」、または「閉扉」データをセットして、該扉表示部１９のＬＥＤを点灯、消灯させる。
【００２７】
一方、図４に示すように制御装置１側から駆動信号（ｓ１０）が入力されると、制御部１１は、錠操作ステップＳ３を実行する。錠操作ステップＳ３において、まず入力された駆動信号（ｓ１０）が施錠要求信号か否かを判別し、施錠要求信号である場合には、施錠要求信号を施錠要求信号出力部１４に出力して電気錠２のモータ８を施錠方向に回転駆動する。また、要求信号が施錠要求信号でない場合には、解錠要求信号を解錠要求信号出力部１５に出力する。
【００２８】
また、錠操作ステップＳ３は計時ルーチンＲ２を含む。計時ルーチンＲ２は、施解錠要求信号出力部１４、１５への要求信号の出力と同時に実行され、まず内蔵タイマを所定時間に設定した後、所定タイミングで施解錠状態を検出して行われる。設定時間内に所望の錠状態に移行した際には、計時ルーチンＲ２から抜け出して錠状態監視ルーチンＲ１に制御が渡される。また、所定時間内に錠状態が移行しない場合には、モータ８への過負荷防止のために電気錠２への出力を停止し、計時ルーチンＲ２を抜ける。この場合、制御装置１からの信号の制御部１１での識別が反転しているか、あるいは電気錠２の故障等が考えられるために、エラー信号を出力するように構成することもできる。
【００２９】
【発明の効果】
以上の説明から明らかなように、本発明によれば、電気錠を信号の仕様を考慮することなく、適宜の制御装置、あるいは拡張制御装置により制御することができる。
【図面の簡単な説明】
【図１】本発明が適用されたロックシステムのブロック図である。
【図２】錠側状態信号生成部を示すブロック図である。
【図３】錠状態監視ルーチンを示すフローチャートである。
【図４】錠操作ステップを示すフローチャートである。
【符号の説明】
１        制御装置
２        電気錠
３        駆動信号生成部
４        リレースイッチ
５        錠側状態信号生成部
【図１】
0004145015.tif 000002
【図２】
0004145015.tif 000003
【図３】
0004145015.tif 000004
【図４】
0004145015.tif 000005